【手続補正書】
【提出日】平成19年7月18日(2007.7.18)
【手続補正１】
【補正対象書類名】特許請求の範囲
【補正対象項目名】全文
【補正方法】変更
【補正の内容】
【特許請求の範囲】
【請求項１】
無線情報を受信可能でかつ外部充電装置から出力される電磁波を受けて電流を発生可能なアンテナと、
前記アンテナを用いて無線情報の受信処理を行う受信部と、
前記アンテナで発生した電流が充電される蓄電部と、
前記蓄電部に充電された電力により駆動される駆動部と、
前記駆動部で作動される時刻表示手段と、
前記アンテナを、受信部または蓄電部の一方に切り替えて接続可能な受信充電切替スイッチと、
前記駆動部を駆動可能状態または停止状態に切り替え可能な駆動部切替スイッチとを備えることを特徴とする無線機能付き電子時計。
【請求項２】
請求項１に記載の無線機能付き電子時計において、
前記受信充電切替スイッチは、無線機能付き電子時計が外部充電装置にセットされた際には前記蓄電部に接続され、無線機能付き電子時計が外部充電装置から外れた際には前記受信部に接続され、
前記駆動部切替スイッチは、無線機能付き電子時計が外部充電装置にセットされた際には駆動部を停止状態に切り替え、無線機能付き電子時計が外部充電装置から外れた際には駆動部を駆動可能状態に切り替えることを特徴とする無線機能付き電子時計。
【請求項３】
請求項２に記載の無線機能付き電子時計において、
前記外部充電装置には突起部が形成され、
前記受信充電切替スイッチは、弾性変形可能な金属材で構成され、無線機能付き電子時計が外部充電装置から外れている場合には前記受信部に接続され、かつ、無線機能付き電子時計が外部充電装置にセットされた際には前記突起部で付勢されて弾性変形することにより前記蓄電部に接続されることを特徴とする無線機能付き電子時計。
【請求項４】
請求項１に記載の無線機能付き電子時計において、
前記外部充電装置から出力される電磁波を検出する外部磁界検出手段と、
前記外部磁界検出手段で外部充電装置から電磁波が出力されていることを検出した場合に、前記受信充電切替スイッチを蓄電部に切り替えて接続するとともに、前記駆動部切替スイッチを駆動部の停止状態に切り替えるスイッチ制御部と、
を備えることを特徴とする無線機能付き電子時計。
【請求項５】
請求項１から請求項４のいずれかに記載の無線機能付き電子時計において、
前記駆動部切替スイッチが停止状態に切り替えられたことによって駆動部が停止されている時間をカウントするカウンタと、
前記駆動部切替スイッチが駆動部の停止状態から駆動可能状態に切り替えられた際に、前記カウンタでカウントされたモータ停止時間分を早送りして指針を修正する駆動制御部とを備えることを特徴とする無線機能付き電子時計。
【請求項６】
請求項１から請求項５のいずれかに記載の無線機能付き電子時計において、
無線情報の受信スケジュールを設定する受信スケジュール部と、
前記受信スケジュール部に設定された所定の受信時期に達すると、受信充電切替スイッチを切り替えて前記アンテナを受信部に接続し、かつ、前記外部充電装置に対して電磁波の出力を停止させる受信充電制御部とを備えることを特徴とする無線機能付き電子時計。
【請求項７】
少なくとも表面が金属製の外装ケースおよび文字板と、
非金属製でかつ非磁性材で構成された裏蓋と、
前記外装ケース内において、文字板および裏蓋間に配置されるとともに、前記裏蓋を通過する無線情報を受信可能でかつ外部充電装置から出力されて裏蓋を通過する電磁波を受けて電流を発生可能なアンテナと、
前記アンテナを用いて無線情報の受信処理を行う受信部と、
前記アンテナで発生した電流が充電される蓄電部と、
前記蓄電部に充電された電力により駆動される駆動部と、
前記駆動部で作動される時刻表示手段と、
前記アンテナを、受信部または蓄電部の一方に切り替えて接続可能な受信充電切替スイッチと、を備えることを特徴とする無線機能付き電子時計。
【請求項８】
無線情報を受信可能でかつ外部充電装置から出力される電磁波を受けて電流を発生可能なアンテナと、
前記アンテナを用いて無線情報の受信処理を行う受信部と、
前記アンテナで発生した電流が充電される蓄電部と、
前記蓄電部に充電された電力により駆動される駆動部と、
前記駆動部で作動される時刻表示手段と、
前記アンテナを、受信部または蓄電部の一方に切り替えて接続可能な受信充電切替スイッチと、
前記駆動部を駆動可能状態または停止状態に切り替え可能な駆動部切替スイッチと、を備える無線機能付き電子時計の制御方法であって、
無線機能付き電子時計を外部充電装置にセットした際に、前記受信充電切替スイッチを受信部から蓄電部に切り替えるとともに、前記駆動部切替スイッチを、駆動部を駆動可能な状態から停止状態に切り替えることを特徴とする無線機能付き電子時計の制御方法。
【請求項９】
無線情報を受信可能でかつ外部充電装置から出力される電磁波を受けて電流を発生可能なアンテナと、
前記アンテナを用いて無線情報の受信処理を行う受信部と、
前記アンテナで発生した電流が充電される蓄電部と、
前記蓄電部に充電された電力により駆動される駆動部と、
前記駆動部で作動される時刻表示手段と、
前記アンテナを、受信部または蓄電部の一方に切り替えて接続可能な受信充電切替スイッチと、
前記駆動部を駆動可能状態または停止状態に切り替え可能な駆動部切替スイッチと、を備える無線機能付き電子時計の制御方法であって、
外部磁界検出手段で外部充電装置から電磁波が出力されていることを検出した場合に、前記受信充電切替スイッチを蓄電部に切り替えて接続するとともに、前記駆動部切替スイッチを駆動部の停止状態に切り替えることを特徴とする無線機能付き電子時計の制御方法。
【請求項１０】
請求項１から請求項７のいずれかに記載の無線機能付き電子時計を充電する外部充電装置であって、
充電用の電磁波を出力する電磁コイルと、
前記電磁コイルへの電流の供給を断続する電磁コイルスイッチと、
前記電磁コイルスイッチを制御する電磁コイルスイッチ制御部とを備え、
前記電磁コイルスイッチ制御部は、所定の受信時期に達した際に前記無線機能付き電子時計に備えられた受信時期信号通知手段から通知される受信時期信号を受信した場合に、前記電磁コイルスイッチを切断することを特徴とする無線機能付き電子時計用外部充電装置。
【手続補正２】
【補正対象書類名】明細書
【補正対象項目名】００１０
【補正方法】変更
【補正の内容】
【００１０】
また、本発明においては、前記受信充電切替スイッチは、無線機能付き電子時計が外部充電装置にセットされた際には前記蓄電部に接続され、無線機能付き電子時計が外部充電装置から外れた際には前記受信部に接続され、前記駆動部切替スイッチは、無線機能付き電子時計が外部充電装置にセットされた際には駆動部を停止状態に切り替え、無線機能付き電子時計が外部充電装置から外れた際には駆動部を駆動可能状態に切り替えるものでもよい。
なお、無線機能付き電子時計を外部充電装置にセットするとは、外部充電装置の所定の載置箇所に無線機能付き電子時計を載置することを意味する。
【手続補正３】
【補正対象書類名】明細書
【補正対象項目名】００１１
【補正方法】変更
【補正の内容】
【００１１】
このような構成によれば、無線機能付き電子時計を外部充電装置にセットしたり取り外したりするだけで各スイッチを自動的に切替制御できるので、各スイッチを手動操作で切り替える場合に比べて操作性を向上できる。
【手続補正４】
【補正対象書類名】明細書
【補正対象項目名】００１２
【補正方法】変更
【補正の内容】
【００１２】
この際、前記外部充電装置には突起部が形成され、前記受信充電切替スイッチは、弾性変形可能な金属材で構成され、無線機能付き電子時計が外部充電装置から外れている場合には前記受信部に接続され、かつ、無線機能付き電子時計が外部充電装置にセットされた際には前記突起部で付勢されて弾性変形することにより前記蓄電部に接続されるものでもよい。
なお、前記受信充電切替スイッチは、前記突起部が直接あるいは間接的に作用して弾性変形される機械スイッチが利用できる。例えば、無線機能付き電子時計に、前記突起部が挿入される挿入孔を形成し、この挿入孔に挿入された突起部が前記スイッチに直接当接して移動するように構成してもよい。また、突起部に押されて作動するリンク機構などを介して前記スイッチを間接的に移動する構成を採用してもよい。
但し、受信充電切替スイッチ自体が弾性変形可能な金属材で構成されていなくてもよい。例えば、無線機能付き電子時計が外部充電装置から外れている場合に、スイッチを受信
部に接続するように付勢するバネを別途設けてもよい。要するに、無線機能付き電子時計を外部充電装置にセットあるいは取り外しすることで、受信充電切替スイッチが切り替えられる構造を採用すればよい。
【手続補正５】
【補正対象書類名】明細書
【補正対象項目名】００１３
【補正方法】変更
【補正の内容】
【００１３】
また、受信充電切替スイッチを機械スイッチで構成した場合、そのスイッチを移動させるには、電磁石や永久磁石などの磁力を利用する方法も採用できる。但し、磁力を用いた場合には、モータなどに悪影響を及ぼすおそれがあるため、モータの誤作動を防止する必要がある。一方、本発明のように、突起部による物理的な力で移動する機械スイッチを用いれば、磁力を用いる必要がないため、モータの誤作動を確実に防止できる。
但し、電磁石等を利用すれば、非接触でスイッチを移動することができ、電波修正時計に突起部の挿入孔を形成する必要がないため、防水性能や意匠性を向上できる。
【手続補正６】
【補正対象書類名】明細書
【補正対象項目名】００１４
【補正方法】変更
【補正の内容】
【００１４】
なお、受信充電切替スイッチを機械スイッチで構成した場合、駆動部切替スイッチは前記受信充電切替スイッチの切替操作に応じて制御される電子スイッチで構成すればよい。
また、駆動部切替スイッチを前記突起部で切り替えられる機械スイッチとし、受信充電切替スイッチを駆動部切替スイッチの切替操作に応じて制御される電子スイッチで構成してもよい。
さらに、外部充電装置にセットされた際に外部充電装置に形成された端子に接触する端子を設け、無線機能付き電子時計が外部充電装置にセットされたことを電気的に検出するセット状態検出手段を設け、このセット状態検出手段からの出力に応じて制御される電子スイッチで前記各スイッチを構成してもよい。
【手続補正７】
【補正対象書類名】明細書
【補正対象項目名】００１５
【補正方法】変更
【補正の内容】
【００１５】
本発明においては、前記外部充電装置から出力される電磁波を検出する外部磁界検出手段と、前記外部磁界検出手段で外部充電装置から電磁波が出力されていることを検出した場合に、前記受信充電切替スイッチを蓄電部に切り替えて接続するとともに、前記駆動部切替スイッチを駆動部の停止状態に切り替えるスイッチ制御部と、を備えることが好ましい。
【手続補正８】
【補正対象書類名】明細書
【補正対象項目名】００１６
【補正方法】変更
【補正の内容】
【００１６】
このような構成によれば、外部充電装置から電磁波が出力されて充電可能な場合のみ、スイッチ制御部により受信充電切替スイッチを蓄電部に切り替えているので、効率的に充電することができる。
また、無線機能付き電子時計が外部充電装置にセットされていても、電磁波が出力されていなければアンテナを受信部に接続しておくことができ、標準電波等の無線情報を受信できる。従って、例えば、外部充電装置に電磁波の出力時間を設定するタイマー機能を設けることなどで、電磁波の出力を自動的に停止できるように設定しておけば、利用者が就寝時に無線機能付き電子時計を外部充電装置にセットしたまま放置しても、一定時間の電磁波の出力による充電処理と、電磁波の出力停止後の標準電波の受信処理とを行うことができる。従って、充電処理および無線受信処理を自動的に行うこともでき、利便性を向上できる。
【手続補正９】
【補正対象書類名】明細書
【補正対象項目名】００２５
【補正方法】変更
【補正の内容】
【００２５】
また、本発明は、無線情報を受信可能でかつ外部充電装置から出力される電磁波を受けて電流を発生可能なアンテナと、前記アンテナを用いて無線情報の受信処理を行う受信部と、前記アンテナで発生した電流が充電される蓄電部と、前記蓄電部に充電された電力により駆動される駆動部と、前記駆動部で作動される時刻表示手段と、前記アンテナを、受信部または蓄電部の一方に切り替えて接続可能な受信充電切替スイッチと、前記駆動部を
駆動可能状態または停止状態に切り替え可能な駆動部切替スイッチと、を備える無線機能付き電子時計の制御方法であって、無線機能付き電子時計を外部充電装置にセットした際に、前記受信充電切替スイッチを受信部から蓄電部に切り替えるとともに、前記駆動部切替スイッチを、駆動部を駆動可能な状態から停止状態に切り替えることを特徴とする。
【手続補正１０】
【補正対象書類名】明細書
【補正対象項目名】００２６
【補正方法】変更
【補正の内容】
【００２６】
本発明は、無線情報を受信可能でかつ外部充電装置から出力される電磁波を受けて電流を発生可能なアンテナと、前記アンテナを用いて無線情報の受信処理を行う受信部と、前記アンテナで発生した電流が充電される蓄電部と、前記蓄電部に充電された電力により駆動される駆動部と、前記駆動部で作動される時刻表示手段と、前記アンテナを、受信部または蓄電部の一方に切り替えて接続可能な受信充電切替スイッチと、前記駆動部を駆動可能状態または停止状態に切り替え可能な駆動部切替スイッチと、を備える無線機能付き電子時計の制御方法であって、外部磁界検出手段で外部充電装置から電磁波が出力されていることを検出した場合に、前記受信充電切替スイッチを蓄電部に切り替えて接続するとともに、前記駆動部切替スイッチを駆動部の停止状態に切り替えることを特徴とする。
【手続補正１１】
【補正対象書類名】明細書
【補正対象項目名】００２９
【補正方法】変更
【補正の内容】
【００２９】
また、本発明は、前記無線機能付き電子時計を充電する外部充電装置であって、充電用の電磁波を出力する電磁コイルと、前記電磁コイルへの電流の供給を断続する電磁コイルスイッチと、前記電磁コイルスイッチを制御する電磁コイルスイッチ制御部とを備え、前記電磁コイルスイッチ制御部は、所定の受信時期に達した際に前記無線機能付き電子時計に備えられた受信時期信号通知手段から通知される受信時期信号を受信した場合に、前記電磁コイルスイッチを切断することを特徴とするものでもよい。